(57)【要約】      （修正有）【課題】肩甲骨の内下側へのひっぱりを効率よく実現するために下向きの力の分散を防止し、自然な姿勢を維持することができる姿勢矯正具を提供する。【解決手段】バストを除いた上半身を被覆すると共に所定の締め付け力によって拘束する為に伸縮可能な生地で構成された姿勢矯正具１である。背中を覆う後身頃２と、バストアンダー部分を覆う為に端部には互いに連結する係止手段が設けられ右前身頃３Ｒ及び左前身頃３Ｌとを備える。右前身頃３Ｒ及び左前身頃３Ｌは、係止時に両バストを露出する大きな開口５を有するように構成され、後身頃２には背骨方向に沿って下端から途中で両肩方向に分岐して肩まで延びる伸縮性の緊締部１０が設けられている。【選択図】図２
0003185546.tif 000002
【実用新案登録請求の範囲】
【請求項１】
バストを除いた上半身を被覆すると共に所定の締め付け力によって拘束する為に伸縮可能な生地で構成された姿勢矯正具において、
背中を覆う後身頃と、バストアンダー部分を覆う為に端部には互いに連結する係止手段が設けられ右前身頃及び左前身頃とを備え、
前記右前身頃及び左前身頃は、係止時に両バストを露出する大きな開口を有するように構成され、
前記後身頃には背骨方向に沿って下端から途中で両肩方向に分岐して肩まで延びる伸縮性の緊締部が設けられていることを特徴とする姿勢矯正具。
【請求項２】
前記緊締部は、背骨中央部分から肩甲骨の内縁辺に沿って肩まで伸びる斜行部を有する略Ｙ字形に構成されていることを特徴とする、請求項１に記載の姿勢矯正具。
【請求項３】
前記緊締部は、伸縮性の当て布を前記後身頃に縫い合わせることにより構成されていることを特徴とする、請求項１又は２に記載の姿勢矯正具。
【請求項４】
前記緊締部は、肩から分岐位置までの斜行部分と分岐位置から後身頃下端までの部分に伸縮力の異なる生地で構成されていることを特徴とする、請求項１から３のいずれか１つに記載の姿勢矯正具。
【考案の詳細な説明】
【技術分野】
【０００１】
本考案は、猫背等の姿勢の矯正又は猫背等になることを抑制するための姿勢矯正具に関する。
【背景技術】
【０００２】
従来、外観を美しく見せるために、装着者の上半身の姿勢や体型を矯正する姿勢矯正具は、これまで様々のタイプのものが提案されてきた
【０００３】
例えば、特許文献１（特開２００６−１９３８３３号公報）には、バストの下部分から背面にかけて装着者を覆うように構成された袖付きタイプのボディサポータが開示されている。このボディサポータは、バストを内側へ寄せると共に該バスト周りを締め付けることで該ブラジャーの各部が肌に食い込んで周囲の肉が盛り上がることを防止することを目的とするものであり、装着者の体型を補整するためのものであるが、背面に伸縮性のある当て布を付して背筋を伸ばして姿勢を良くする構成が開示されている。
【０００４】
当て布は、背中側でＸ字状を呈する部分の左右それぞれの上下端部が左右の肩及び反対側の脇腹部分に位置するように配置されており、背中側で、当て布を伸張させ、それによりＸ字状に互いに背中中央部へ向かう弾性収縮復元力が生じさせ、それにより左右肩甲骨を背中の中央部側へ引き寄せて猫背等の矯正又は猫背等になることを抑制しようとするものである。
【０００５】
また、特許文献２（特開２０１１−７２３２３号公報）には、左右の袖状部と、該左右の袖状部を連結する伸縮性バンド部とを含んでおり、該伸縮性バンド部は、左右肩甲骨の上部背後で該左右の袖状部を連結され該左右の袖状部を互いに弾力的に引き寄せる力を付与する構成の姿勢矯正具が開示されている。姿勢矯正具は、着用しても腕、肩、背などの人体部分の動作自由度が大きく、長時間使用しても疲れにくく、腋の下の痛みのような苦痛を伴わないことを目的とする。
【先行技術文献】
【特許文献】
【０００６】
【特許文献１】特開２００６−１９３８３３号公報
【特許文献２】特開２０１１−７２３２３号公報
【考案の概要】
【考案が解決しようとする課題】
【０００７】
しかし、特許文献１のボディサポータは、姿勢矯正のための伸縮性の布がＸ字状に構成されているため、肩甲骨部分が内側へ引っ張られ、背骨の中間部の背骨に沿った方向のひっぱり力が分散する結果、姿勢として肩甲骨が内側へ向きすぎるという問題があった。なお、この特許文献１のボディサポータのように、肩甲骨を開いた状態にするために背中に付される伸縮性部材は、通常Ｘ字状を構成しているものが多く、例えば、特開２００６−３７２５５号公報、特開２００５−１２０４９９号公報などが存在する。このようなＸ字状の構成は、衣服の構造を鑑みて採用されたものであり、肩の部分を内向き下側へ引っ張る際に他端側を脇腹から腹側に向かわせることで、裾の捲れあがりを防止することができるためと考えられる。
【０００８】
一方で、特許文献２の姿勢矯正具は、肩甲骨を左右略水平方向へ近づけるように引き寄せるので、肩甲骨が引き上げられた状態となり、結果として、脇の部分が開くなど姿勢として理想的な状態とすることはできなかった。
【０００９】
したがって、本考案が解決しようとする技術的課題は、肩甲骨の内下側へのひっぱりを効率よく実現するために下向きの力の分散を防止し、自然な姿勢を維持することができる姿勢矯正具を提供することである。
【課題を解決するための手段】
【００１０】
本考案は、バストを除いた上半身を被覆すると共に所定の締め付け力によって拘束する為に伸縮可能な生地で構成された姿勢矯正具において、
背中を覆う後身頃と、バストアンダー部分を覆う為に端部には互いに連結する係止手段が設けられ右前身頃及び左前身頃とを備え、
前記右前身頃及び左前身頃は、係止時に両バストを露出する大きな開口を有するように構成され、
前記後身頃には背骨方向に沿って下端から途中で両肩方向に分岐して肩まで延びる伸縮性の緊締部が設けられていることを特徴とする姿勢矯正具を提供する。
【００１１】
本考案の第２態様によれば前記緊締部は、背骨中央部分から肩甲骨の内縁辺に沿って肩まで伸びる斜行部を有する略Ｙ字形に構成されていることを特徴とする、第１態様の姿勢矯正具を提供する。
【００１２】
本考案の第３態様によれば、前記緊締部は、伸縮性の当て布を前記後身頃に縫い合わせることにより構成されていることを特徴とする、第１又は第２態様の姿勢矯正具を提供する。
【００１３】
本考案の第４態様によれば、肩から分岐位置までの斜行部分と分岐位置から後身頃下端までの部分に伸縮力の異なる生地で構成されていることを特徴とする、第１から第３態様のいずれか１つの姿勢矯正具を提供する。
【考案の効果】
【００１４】
本考案によれば、背骨方向に沿って下端から途中で両肩方向に分岐して肩まで延びる伸縮性の緊締部によって、肩から背骨中央に向かって肩が内側下向きに引っ張られると共に、背骨に沿って下向きの引っ張り力を確保することができる。また、このように緊締部を構成したとしても、バストアンダー部分を覆う左右前身頃の構成のより、裾の捲れあがりが防止され、さらに、バストアンダー部分に位置する左右前身頃がバストを上方向に持ち上げることでバストアップ効果を期待することができる。
【００１５】
本考案の第２態様によれば、背骨中央部分から肩甲骨の内縁辺に沿って緊締部が伸びることによって、肩甲骨を開く方向に効率よく引っ張ることができ、猫背を抑制することができる。
【図面の簡単な説明】
【００１６】
【図１】本考案の第１実施形態にかかる姿勢矯正具の背面図である。
【図２】図１の姿勢矯正具の正面図である。
【図３】図１の姿勢矯正具を身につけた状態を示す前方から見た斜視図である。
【図４】図１の姿勢矯正具を身につけた状態を示す後方から見た斜視図である。
【図５】本考案の第２実施形態にかかる姿勢矯正具を身につけた状態を示す前方から見た斜視図である。
【図６】変形例にかかる姿勢矯正具の背面図である。
【考案を実施するための形態】
【００１７】
以下、本考案の実施形態に係る姿勢矯正具について、図面を参照しながら説明する。
【００１８】
（第１実施形態）
図１は本考案の第１実施形態にかかる姿勢矯正具の背面図である。図２は、図１の姿勢矯正具の正面図である。図３は、図１の姿勢矯正具を身につけた状態を示す前方から見た斜視図である。図４は、図１の姿勢矯正具を身につけた状態を示す後方から見た斜視図である。
【００１９】
姿勢矯正具１は、図示するように、装着者のアンダーバスト部分より上の部分に着用するノースリーブの上半身着であり、後身頃２、右前身頃３Ｒ、左前身頃３Ｌ、右側部身頃４Ｒ、左側部身頃４Ｌを有し、左右前身頃３Ｌ，３Ｒの上部は大きな開口５を形成している。右前身頃３Ｒと左前身頃３Ｌの縁部６ａ，６ｂには複数のフックとアイが取付けられており、両縁部６ａ，６ｂを連結することができる。
【００２０】
後身頃２、右前身頃３Ｒ、左前身頃３Ｌ、右側部身頃４Ｒ、左側部身頃４Ｌは通気性があって伸縮するレース状の生地が用いられている。各生地の周囲には、伸縮性の補強地７が設けられており、後身頃２、右前身頃３Ｒ、左前身頃３Ｌ、右側部身頃４Ｒ、左側部身頃４Ｌの伸縮量を部位に応じて適切に制限すると供に着用時において、皮膚への接触部位をソフトにして装着感を柔らかくする。
【００２１】
右前身頃３Ｒは右側部身頃４Ｒに縫着され、バストの下側を通って腹側まで伸びるように構成されている。右前身頃３Ｒには伸縮性に優れたメッシュ生地８が縫い合わされて厚地となって、右前身頃３Ｒの伸縮力を強くしている。同じく、左前身頃３Ｌは左側部身頃４Ｌに縫着され、腹側まで伸びると共に、伸縮性に優れたメッシュ生地８が縫い合わされて厚地となっている。右前身頃３Ｒ及び左前身頃３Ｌの伸縮力を大きくすることにより、装着時にバストの下の位置でしっかりと身体に囲繞することができる。
【００２２】
右側部身頃４Ｒは、後ろ身頃２の右側方及び肩紐部分４Ｓで後ろ身頃２に縫着され、袖孔９が画定される。肩紐部分４Ｓと後ろ身頃２の縫着位置は、装着時に鎖骨の上側に位置するようになっており、後述する緊締部１０により肩を引っ張りやすくなっている。同様に、左側部身頃４Ｌは、後ろ身頃２の左側方及び肩紐部分４Ｓで後ろ身頃２に縫着される。
【００２３】
後身頃２には、肩紐部の上縁から斜め方向に伸び、中央部分で下向きに裾まで伸びる当て布１０が縫い合わされている。当て布生地は伸縮性がるため、この部分は厚地となって伸縮し難くなる。このため、当該当て布が設けられている部分は、着用時に装着者の肩を後下方向に引っ張る緊締部１０として機能するものであり、背筋を伸ばして姿勢が良くする。
【００２４】
緊締部１０は、図示するように略Ｙ字形の形状に構成されており、裾下端１０ａから背骨に沿って上方へ伸び、背骨中央部分１０ｂから分岐して肩甲骨Ｓの内縁辺に沿って肩まで伸びるように構成されている。なお、本実施形態において緊締部の斜行部分１０ｃの幅は、最も大きい部分で幅８ｃｍ、背骨に沿って伸びる部分の幅寸法は約１０ｃｍに構成されている。緊締部の幅寸法は、上記実施形態に限定されるものではなく、例えば３〜１５ｃｍ程度とすることが可能である。
【００２５】
また、緊締部１０を構成する当て布は、平面方向に伸縮性を有する生地で構成されているが、その縦横方向の伸縮の程度は異なっており、より縦方向に伸縮しやすいように構成されていることが好ましい。
【００２６】
上記構成の緊締部１０によれば、鎖骨の情報から肩甲骨の内縁辺に沿って斜めに伸びる斜行部分１０ｃより、図４に示すように肩甲骨Ｓが背骨中央に向かって内側下向きに引っ張られ、胸が開いて背筋を伸ばす姿勢となる。また、分岐部分より下の部分は、背骨に沿った向きに伸縮力を及ぼすため、下向きの力が左右方向に分散せずより効率的に姿勢矯正を行うことができる。
【００２７】
また、本実施形態によれば、緊締部が肩から背骨中央に至りそのまま下方に伸びるので、左右肩から逆脇にかけての緊締部を設けるよりも短く構成することができ、より伸縮率が強くなり、効率的に肩甲骨を引き寄せることが可能である。すなわち、中央の背骨に沿って伸びる緊締部の背骨中央部分１０ｂから裾下端１０ａまでの部分はＸ字状に構成された緊締部に比べ、肩甲骨を引き寄せた力を発揮する斜行部分１０ｃをより強く下に引き寄せることができる。
【００２８】
なお、本実施形態にかかる姿勢矯正具１は、装着時は左右前身頃３Ｒ、３Ｌの伸縮力により、身体に密着して装着されて位置ずれがなく、緊締部１０の裾下端部分１０ａは後身頃２の裾に縫い付けられているが、緊締部１０による裾の捲れあがりを抑制することができる。
【００２９】
本実施形態の姿勢矯正具を着用する場合には、フックーアイの係合を解除して左右前身頃３Ｒ，３Ｌを開いた状態で行う。図３、図４はブラジャーを着用した上に姿勢矯正具を着用した場合の斜視図を表している。該姿勢矯正具を着用して左右前身頃３Ｒ，３Ｌの縁部６ａ，６ｂに備えてある係止手段の一例としてのフック−アイを係止することにより、左右前身頃３Ｒ，３Ｌと後身頃２はアンダーバストを適度な力で締め付ける。
【００３０】
そして、左右側部身頃４Ｌ，４Ｒは肩から下方へ両バストの外側にかけて延びており、両バストは開口５から露出する。この際、左右前身頃３Ｒ，３Ｌと左右側部身頃４Ｒ、４Ｌの肩紐部４Ｓはバストの下外側を支えると共に該バストを内側へ寄せることができる。
【００３１】
ブラジャーの両カップ１１ａ，１１ｂはバストを包み込み、該バストの形を整えることができる。その上に、本実施形態にかかる姿勢矯正具を装着することで、バスト下側が適度な締め付け力にて圧縮される。この場合、開口５の上縁部分は、ブラジャーに載って重なるために肌に直接接することはなく、姿勢矯正具がバスト部分に食い込むことがない。
【００３２】
（第２実施形態）
図５に本発明の第２実施形態にかかる姿勢矯正具を装着した状態を示す。本実施形態にかかる姿勢矯正具は、第１実施形態にかかる姿勢矯正具１と共通する構成を有するため、相違点を中心として説明する。
【００３３】
図５に示すように本実施形態にかかる姿勢矯正具２０は、図示するように、装着者のウエスト部分より上の部分に着用するノースリーブの上半身着である。本実施形態にかかる姿勢矯正具２０は、裾丈が第１実施形態の姿勢矯正具１と比較して長く構成されており、左右の前身頃２１Ｒ，２１Ｌを係止する手段として面ファスナーが用いられている。
【００３４】
本実施形態の姿勢矯正具２１によれば、前身頃２１Ｒ，２１Ｌが長く構成されているため、腹部まで広く包み囲うことができ、腹部の矯正も可能とすることができる。また、後身頃に設けられる緊締部の背骨に沿って伸びる部分が長く構成されるため、より背筋を伸ばしやすくなる。
【００３５】
なお、本考案は上記実施形態に限定されるものではなく、その他種々の態様で実施可能である。たとえば、緊締部の形状は、図１に示すＹ字形に限定される必要はなく、例えば、図６に示すように、型部から背骨に沿った方向に屈曲して構成されていてもよい。
【００３６】
また、緊締部の背骨中央部１０ｂより下の背骨に沿った部分の幅寸法を大きくすることで、後身頃２の幅方向の緊締力を強くすることができ、背筋矯正に加えてバストアップの効果を及ぼすことができる。
【００３７】
さらに、緊締部を構成する当て布は本実施形態では１枚の生地により構成されているが、肩から分岐位置までの斜行部分と分岐位置から後身頃下端までの部分に伸縮力の異なる生地で構成することが可能である。
【符号の説明】
【００３８】
１、２０、３０  姿勢矯正具
２  後身頃
３Ｌ、２１Ｌ  左前身頃
３Ｒ、２１Ｒ  右前身頃
４Ｌ  左側部身頃
４Ｒ  右側部身頃
５  開口
６ａ，６ｂ  縁部
７  補強地
８  メッシュ生地
９  袖孔
１０、３１ａ、３１ｂ  緊締部
１０ａ  裾下端
１０ｂ  背骨中央部分
１０ｃ  斜行部分
【図１】
0003185546.tif 000003
【図２】
0003185546.tif 000004
【図３】
0003185546.tif 000005
【図４】
0003185546.tif 000006
【図５】
0003185546.tif 000007
【図６】
0003185546.tif 000008